【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体。
【請求項２】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体。
【請求項３】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を発行する個人認証媒体発行装置であって、
前記表示画像を作成する券面画像作成部と、
前記表示画像に誤植を混入する誤植混入部と、
前記表示画像に前記誤植情報を電子透かしとして埋め込む電子透かし埋め込み部と、
前記電子透かしの埋め込まれた表示画像を前記表示面に印刷し前記個人認証媒体を発行する印刷機と、
を備えた個人認証媒体発行装置。
【請求項４】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び前記被認証者の識別情報を記憶する為の集積回路と、
を備えた個人認証媒体を発行する個人認証媒体発行装置であって、
前記表示画像を作成する券面画像作成部と、
前記表示画像に誤植を混入する誤植混入部と、
前記表示画像に前記誤植情報を電子透かしとして埋め込む電子透かし埋め込み部と、
前記集積回路に前記表示画像と被認証者の識別情報とを格納するＩＣライタと、
前記電子透かしの埋め込まれた表示画像を前記表示面に印刷し前記個人認証媒体を発行する印刷機と、
を備えた個人認証媒体発行装置。
【請求項５】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を発行する個人認証媒体発行装置であって、
前記表示画像を作成する券面画像作成部と、
前記表示画像に誤植を混入する誤植混入部と、
前記表示画像に媒体固有の識別子を電子透かしとして埋め込む電子透かし埋め込み部と、
前記表示画像に混入されている誤植の誤植情報と前記識別子とを関連付けて記憶する情報処理装置と、
前記電子透かしの埋め込まれた表示画像を前記表示面に印刷し前記個人認証媒体を発行する印刷機と、
を備えた個人認証媒体発行装置。
【請求項６】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を発行する個人認証媒体発行方法であって、
前記表示画像を作成し、
前記表示画像に誤植を混入し、
前記表示画像に前記誤植情報を電子透かしとして埋め込み、
前記電子透かしの埋め込まれた表示画像を前記表示面に印刷し前記個人認証媒体を発行する、
個人認証媒体発行方法。
【請求項７】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び前記被認証者の識別情報を記憶する為の集積回路と、
を備えた個人認証媒体を発行する個人認証媒体発行方法であって、
前記表示画像を作成し、
前記表示画像に誤植を混入し、
前記表示画像に前記誤植情報を電子透かしとして埋め込み、
前記集積回路に前記表示画像と被認証者の識別情報とを格納し、
前記電子透かしの埋め込まれた表示画像を前記表示面に印刷し前記個人認証媒体を発行する、
個人認証媒体発行方法。
【請求項８】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を発行する個人認証媒体発行方法であって、
前記表示画像を作成し、
前記表示画像に誤植を混入し、
前記表示画像に媒体固有の識別子を電子透かしとして埋め込み、
前記表示画像に混入されている誤植の誤植情報と前記識別子とを関連付けて記憶し、
前記電子透かしの埋め込まれた表示画像を前記表示面に印刷し前記個人認証媒体を発行する、
個人認証媒体発行方法。
【請求項９】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を読み取る個人認証媒体読取装置であって、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し誤植情報を取得する誤植情報認識部と、
前記誤植情報認識部によって取得された誤植情報を表示するディスプレイと、
を備えた個人認証媒体読取装置。
【請求項１０】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像と被認証者の識別情報とを記憶している集積回路と、
を備えた個人認証媒体を読み取る個人認証媒体読取装置であって、
前記個人認証媒体の券面に埋め込まれている電子透かしを抽出する電子透かし抽出部と、
前記抽出された電子透かしを情報として認識し誤植情報を取得する誤植情報認識部と、
前記集積回路に格納されている前記表示画像及び前記被認証者の識別情報を読み取るＩＣリーダと、
前記誤植情報認識部によって取得された誤植情報及び前記ＩＣリーダによって読み取られた識別情報を表示するディスプレイと、
を備えた個人認証媒体読取装置。
【請求項１１】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を読み取る個人認証媒体読取装置であって、
前記個人認証媒体の前記表示画像に混入されている誤植の誤植情報を前記媒体固有の識別子と関連付けて記憶する情報処理装置と、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し前記個人認証媒体固有の識別子を取得する識別情報認識部と、
前記識別子に対応する誤植情報を前記情報処理装置から抽出する誤植情報抽出部と、
前記誤植情報抽出部によって抽出された誤植情報を表示するディスプレイと、
を備えた個人認証媒体読取装置。
【請求項１２】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を読み取る個人認証媒体読取方法であって、
前記表示面を券面画像として光学的に読み取り、
前記読み取られた券面画像に埋め込まれている電子透かしを抽出し、
前記抽出された電子透かしを情報として認識し誤植情報を取得し、
前記取得した誤植情報を表示する、
個人認証媒体読取方法。
【請求項１３】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像と被認証者の識別情報とを記憶している集積回路と、
を備えた個人認証媒体を読み取る個人認証媒体読取方法であって、
前記個人認証媒体の券面に埋め込まれている電子透かしを抽出し、
前記抽出された電子透かしを情報として認識し誤植情報を取得し、
前記集積回路に格納されている前記表示画像及び前記被認証者の識別情報を読み取り、
前記取得した誤植情報及び前記読み取った識別情報を表示する、
個人認証媒体読取方法。
【請求項１４】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を読み取る個人認証媒体読取方法であって、
前記個人認証媒体の前記表示画像に混入されている誤植の誤植情報と前記媒体固有の識別子とを関連付けて予め記憶し、
前記表示面を券面画像として光学的に読み取り、
前記読み取られた券面画像に埋め込まれている電子透かしを抽出し、
前記抽出された電子透かしを情報として認識し前記個人認証媒体固有の識別子を取得し、
前記予め記憶した誤植情報と識別子との関連付けに基いて前記取得した識別子に対応する誤植情報を抽出し、
前記抽出した誤植情報を表示する、
個人認証媒体読取方法。
【請求項１５】
個人認証媒体と、前記個人認証媒体を発行する個人認証媒体発行装置と、前記個人認証媒体を読み取り、前記個人認証媒体に含まれている誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報とを有し、
前記個人認証媒体発行装置は、
前記表示画像を作成する券面画像作成部と、
前記表示画像に誤植を混入する誤植混入部と、
前記表示画像に前記誤植情報を電子透かしとして埋め込む電子透かし埋め込み部と、
前記電子透かしの埋め込まれた表示画像を前記表示面に印刷し前記個人認証媒体を発行する印刷機とを有し、
前記個人認証媒体読取装置は、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し誤植情報を取得する誤植情報認識部と、
前記誤植情報認識部によって取得された誤植情報を表示するディスプレイとを有する、
個人認証システム。
【請求項１６】
個人認証媒体と、前記個人認証媒体を発行する個人認証媒体発行装置と、前記個人認証媒体を読み取り、前記個人認証媒体に含まれている誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び被認証者の識別情報を記憶している集積回路とを有し、
前記個人認証媒体発行装置は、
前記表示画像を作成する券面画像作成部と、
前記表示画像に誤植を混入する誤植混入部と、
前記表示画像に前記誤植情報を電子透かしとして埋め込む電子透かし埋め込み部と、
前記集積回路に前記表示画像と前記被認証者の識別情報とを格納するＩＣライタと、
前記電子透かしの埋め込まれた表示画像を前記表示面に印刷し前記個人認証媒体を発行する印刷機とを有し、
前記個人認証媒体読取装置は、
前記個人認証媒体の券面に埋め込まれている電子透かしを抽出する電子透かし抽出部と、
前記抽出された電子透かしを情報として認識し誤植情報を取得する誤植情報認識部と、
前記集積回路に格納されている前記表示画像と前記被認証者の識別情報とを読み取るＩＣリーダと、
前記誤植情報認識部によって取得された誤植情報と前記ＩＣリーダによって読み取られた被認証者の識別情報とを表示するディスプレイと、
個人認証システム。
【請求項１７】
個人認証媒体と、前記個人認証媒体を発行する個人認証媒体発行装置と、前記個人認証媒体を読み取り、前記個人認証媒体に含まれている識別子に対応する誤植情報を抽出し、前記抽出した誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれた媒体固有の識別子とを有し、
前記個人認証媒体発行装置は、
前記表示画像を作成する券面画像作成部と、
前記表示画像に誤植を混入する誤植混入部と、
前記表示画像に媒体固有の識別子を電子透かしとして埋め込む電子透かし埋め込み部と、
前記表示画像に混入されている誤植の誤植情報と前記識別子とを関連付けて記憶する情報処理装置と、
前記電子透かしの埋め込まれた表示画像を前記表示面に印刷し前記個人認証媒体を発行する印刷機とを有し、
前記個人認証媒体読取装置は、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し前記個人認証媒体固有の識別情報を取得する識別情報認識部と、
前記識別情報に対応する誤植情報を前記情報処理装置から抽出する誤植情報抽出部と、
前記誤植情報抽出部によって抽出された誤植情報を表示するディスプレイとを有する、
個人認証システム。